(57)【要約】      （修正有）【課題】従来のブラックマトリックス残渣の問題をなくすことで、基板間のリークが発生せず、コントラストの低下をなくすことができる情報表示用パネルを提供する。【解決手段】少なくとも情報表示画面領域が透明な観察側パネル基板と背面側パネル基板との間に、隔壁によりセルを形成し、パネル基板に設けた電極間に電圧を印加することにより、表示媒体を移動させて情報を表示する情報表示用パネルにおいて、少なくとも情報表示用パネルの情報表示画面領域に対応する、隔壁４、背面側パネル基板および背面側パネル基板上の電極５，６を透明とし、有色層３１を背面側パネル基板の外側の少なくとも情報表示画面領域に設ける。【選択図】図１０
2011141511.tif 000002
【特許請求の範囲】
【請求項１】
少なくとも情報表示画面領域が透明な観察側パネル基板と背面側パネル基板との間に、隔壁によりセルを形成し、パネル基板に設けた電極間に電圧を印加することにより、表示媒体を移動させて情報を表示する情報表示用パネルにおいて、少なくとも情報表示用パネルの情報表示画面領域に対応する、前記隔壁、前記背面側パネル基板および前記背面側パネル基板上の電極を透明とし、有色層を前記背面側パネル基板の外側の少なくとも前記情報表示画面領域に設けたことを特徴とする情報表示用パネル。
【請求項２】
前記対向する電極間にマトリックス配置されている画素が、前記観察側パネル基板の情報表示画面領域に形成した透明な共通電極と、前記背面側パネル基板の情報表示画面領域にＴＦＴ付き電極とを対向配置した電極対として形成されていることを特徴とする請求項１に記載の情報表示用パネル。
【請求項３】
前記対向する電極間にマトリックス配置されている画素が、前記観察側パネル基板の情報表示画面領域に形成した透明ストライプ電極と、前記背面側パネル基板の情報表示画面領域に形成した透明ストライプ電極とを互いに直交するように対向配置した電極対として形成されていることを特徴とする請求項１に記載の情報表示用パネル。
【請求項４】
前記背面側パネル基板の外側に設ける有色層を、前記情報表示画面領域全面に設けたことを特徴とする請求項１〜３のいずれか１項に記載の情報表示用パネル。
【請求項５】
前記背面側パネル基板の外側に設ける有色層を、前記情報表示用パネルの背面側パネル基板全面に設けたことを特徴とする請求項１〜３のいずれか１項に記載の情報表示用パネル。
【請求項６】
前記背面側パネル基板の外側に設ける有色層を、前記情報表示画面領域であって前記透明な隔壁が形成された部分に対応する格子状に設けたことを特徴とする請求項１〜３のいずれか１項に記載の情報表示用パネル。
【請求項７】
前記隔壁を、前記マトリックス配置された電極対に重ならないように配置したことを特徴とする請求項１〜６のいずれか１項に記載の情報表示用パネル。
【請求項８】
前記有色層が白色又は黒色であることを特徴とする請求項１〜７のいずれか１項に記載の情報表示用パネル。
【請求項９】
前記隔壁により形成されたセルに対応して、前記対向する電極間にマトリックス配置されている画素を４個形成したことを特徴とする請求項１〜８のいずれか１項に記載の情報表示用パネル。
【請求項１０】
請求項１〜９のいずれか１項に記載した情報表示用パネルの製造方法において、前記２枚のパネル基板間に表示媒体を封入した情報表示用パネルを作製するステップと、前記背面側パネル基板の外側の少なくとも前記情報表示画面領域に前記有色層を設けるステップとを含むことを特徴とする情報表示用パネルの製造方法。
【請求項１１】
前記背面側パネル基板の外側面の少なくとも前記情報表示画面領域に設ける前記有色層を、印刷法またはフォトリソグラフィー法で設けることを特徴とする請求項１０に記載の情報表示用パネルの製造方法。
【請求項１２】
前記背面側パネル基板の外側面の少なくとも前記情報表示画面領域に設ける前記有色層を、前記有色層が印刷法またはフォトリソグラフィー法で形成されたシート部材を背面側パネル基板の外側面に貼り合わせて形成されることを特徴とする請求項１０に記載の情報表示用パネルの製造方法。
【発明の詳細な説明】
【技術分野】
【０００１】
本発明は、少なくとも情報表示画面領域が透明な観察側パネル基板と背面側パネル基板との間に、隔壁により互いに隔離されたセルを形成し、パネル基板に設けた電極間に電圧を印加することにより、表示媒体を移動させて情報を表示する情報表示用パネルおよびその製造方法に関するものである。
【背景技術】
【０００２】
従来、上述した構成の情報表示用パネルにおいて、画像視認性を改善するために、セルを形成する隔壁と観察側の透明パネル基板との間にブラックマトリックス（ＢＭ）を設けることが一般的であった（例えば、特許文献１参照）。
【先行技術文献】
【特許文献】
【０００３】
【特許文献１】特開２００４−５４２８７号公報
【０００４】
図１５は従来のブラックマトリックスを有する情報表示用パネルの一例の構成を示す図である。図１５に示す例において、５１は透明な観察側のパネル基板、５２は観察側のパネル基板５１上に形成された酸化インジウム錫（ＩＴＯ）からなる電極、５３は電極５２上に設けられたブラックマトリックス層、５４はセル５５を形成するための隔壁、５６は背面側のパネル基板、５７は背面側のパネル基板５６上に形成された電極、５８は背面側のパネル基板５６および電極５７と隔壁５４とを接合するための接着剤、６１Ｂはセル５５内に封入された帯電性黒色粒子６１Ｂａを含んだ粒子群として構成した黒色表示媒体、６１Ｗはセル５５内に封入された帯電性白色粒子６１Ｗａを含んだ粒子群として構成した白色表示媒体である。
【発明の概要】
【発明が解決しようとする課題】
【０００５】
上述した従来の情報表示用パネルにおいて、ブラックマトリックス層５３は、通常、観察側の透明パネル基板５１上に形成したＩＴＯ電極５２の表面上に、フォトリソグラフィーにてパターニングして設けられていた。このようにして、フォトリソグラフィーによりブラックマトリックス層５３を形成しているが、フォトリソグラフィーを行う際の露光量によりブラックマトリックス層５３の幅を調節しているため、高精細なパターニングが難しかった。
【０００６】
また、図１６に示すように、ブラックマトリックス層５３をフォトリソグラフィーにより形成する際、露光した後に洗浄し未露光部の材料を取り除いているが完全に取り除くことが出来ず、ブラックマトリックス層５３の残渣６３がセル５５内に生じていた。この場合、ブラックマトリックス層５３は導電性を有するため、残渣６３が原因となり観察側のパネル基板５１上の電極５２と背面側のパネル基板５６上の電極５７とがショートするパネル基板間のリークが発生したり、残渣６３は黒色であるため情報表示用パネルにおける白反射率が低下し、コントラストが悪化したりする問題が発生していた。また、上述したパネル基板間のリークの問題およびコントラストが悪化する問題は、ブラックマトリックス層を用いた場合だけでなく、ホワイトマトリックス層を用いた場合も同様に発生していた。
【０００７】
本発明の目的は上述した問題点を解消して、従来のブラックマトリックス層等を用いずに残渣の問題をなくすことで、基板間のリークが発生せず、コントラストの低下をなくすことができる情報表示用パネルおよびその製造方法を提供しようとするものである。
【課題を解決するための手段】
【０００８】
本発明の情報表示用パネルは、少なくとも情報表示画面領域が透明な観察側パネル基板と背面側パネル基板との間に、隔壁によりセルを形成し、パネル基板に設けた電極間に電圧を印加することにより、表示媒体を移動させて情報を表示する情報表示用パネルにおいて、少なくとも情報表示用パネルの情報表示画面領域に対応する、前記隔壁、前記背面側パネル基板および前記背面側パネル基板上の電極を透明とし、有色層を前記背面側パネル基板の外側の少なくとも前記情報表示画面領域に設けたことを特徴とするものである。
【０００９】
また、本発明の情報表示用パネルの好適例としては、前記対向する電極間にマトリックス配置されている画素が、前記観察側パネル基板の情報表示画面領域に形成した透明な共通電極と、前記背面側パネル基板の情報表示画面領域にＴＦＴ付き電極とを対向配置した電極対として形成されていること、前記対向する電極間にマトリックス配置されている画素が、前記観察側パネル基板の情報表示画面領域に形成した透明ストライプ電極と、前記背面側パネル基板の情報表示画面領域に形成した透明ストライプ電極とを互いに直交するように対向配置した電極対として形成されていること、前記背面側パネル基板の外側に設ける有色層を、前記情報表示画面領域全面に設けたこと、前記背面側パネル基板の外側に設ける有色層を、前記情報表示用パネルの背面側パネル基板全面に設けたこと、前記背面側パネル基板の外側に設ける有色層を、前記情報表示画面領域であって前記透明な隔壁が形成された部分に対応する格子状に設けたこと、前記隔壁を、前記マトリックス配置された電極対に重ならないように配置したこと、前記有色層が白色又は黒色であること、前記隔壁により形成されたセルに対応して、前記対向する電極間にマトリックス配置されている画素を４個形成したこと、がある。
【００１０】
本発明の情報表示用パネルの製造方法は、上述した情報表示用パネルの製造方法において、前記２枚のパネル基板間に表示媒体を封入した情報表示用パネルの前駆体を作製した後に、前記背面側パネル基板の外側の少なくとも前記情報表示画面領域に前記有色層を設けることを特徴とするものである。
【００１１】
また、本発明の情報表示用パネルの製造方法の好適例としては、前記背面側パネル基板の外側面の少なくとも前記情報表示画面領域に設ける前記有色層を、印刷法またはフォトグラフィーで設けること、前記背面側パネル基板の外側面の少なくとも前記情報表示画面領域に設ける前記有色層を、前記有色層が印刷法またはフォトリソグラフィーで形成されたシート部材を背面側パネル基板の外側面に貼り合わせて形成されること、がある。
【発明の効果】
【００１２】
本発明の情報表示用パネルによれば、従来のブラックマトリックス層やホワイトマトリックス層などの有色マトリックス層を用いずに、少なくとも情報表示画面領域が透明な観察側パネル基板と背面側パネル基板との間に、隔壁により互いに隔離されたセルを形成し、パネル基板に設けた電極間に電圧を印加することにより、表示媒体を移動させて情報を表示する情報表示用パネルにおいて、少なくとも情報表示用パネルの情報表示画面領域に対応する、前記隔壁、前記背面側パネル基板および前記背面側パネル基板上の電極を透明な材料から構成するとともに、有色層を前記背面側パネル基板の外側の少なくとも前記情報表示画面領域に設けたので、有色層を形成するために用いた材料の残渣が原因となる基板間のリークが発生せず、コントラストの低下をなくすことができる情報表示用パネルを得ることができる。それに加えて、パネル裏面となる背面側パネル基板の外側に有色層を設けたことで、背面側から受ける画像の映り込みの影響を抑制したりすることが容易に出来るようになり、画像の視認性が向上した。
【００１３】
また、本発明の好適例として、背面側パネル基板の外側に設ける有色層を、前記情報表示画面領域全面に設けた場合、背面側パネル基板の外側に設ける有色層を、前記情報表示用パネルの背面側パネル基板全面に設けた場合、背面側パネル基板の外側に設ける有色層を、前記情報表示画面領域であって前記透明な隔壁が形成された部分に対応する格子状に設けた場合、前記基板間ギャップ確保用隔壁を、前記マトリックス配置された電極対に重ならないように配置した場合は、いずれも有色層を簡単に設けることができる。さらに、同一の構成の情報表示用パネルに対し形成する有色層の色を変えることで、客先の要望に個別に対応することができるため、最初から客先の要望に応じて情報表示用パネルを作製する場合と比べて、製造単価を安価にすることができる。
【００１４】
また、背面側パネル基板の外側に設ける有色層を、前記情報表示用パネルの背面側パネル基板全面ではなく、前記情報表示画面領域全面に設けたり、前記情報表示画面領域であって前記透明な隔壁が形成された部分に対応する格子状に設けたりする場合は、有色層を形成する材料の使用量を少なくすることができ、材料費を安価にすることができる。さらに、有色層の形成方法として印刷法を採用したり、有色層が形成されたシートを貼り合わせる方法を採用したりすることができるので、有色層を配置したい部分に対して容易に有色層を設けることができる。さらにまた、本発明の好適例として、マトリックス配置されている画素が、前記観察側パネル基板の情報表示画面領域に形成した透明な共通電極と、前記背面側パネル基板の情報表示画面領域にＴＦＴ付き電極とを対向配置した電極対として形成されている場合、マトリックス配置されている画素が、前記観察側パネル基板の情報表示画面領域に形成した透明ストライプ電極と、前記背面側パネル基板の情報表示画面領域に形成した透明ストライプ電極とを互いに直交するように対向配置した電極対として形成されている場合は、本発明の情報表示用パネルをパッシブマトリックス駆動とアクティブマトリックス駆動とのいずれの駆動方式にも適用できる。
【００１５】
また、本発明の好適例として、有色層が白色又は黒色である場合において、有色層を白色とした場合は、従来のホワイトマトリックス層を使用した例における白色の残渣の発生をなくすことで黒色の反射率を上げてしまうことを抑制でき、有色層を黒色とした場合は、従来のブラックマトリックス層を使用した例における黒色の残渣の発生をなくすことで白色の反射率を向上させることができ、いずれの場合もコントラストを向上でき画像視認性を良好にすることができる。さらに、ブラックマトリックス配置位置やホワイトマトリックス配置位置を自由に決めることができ、ブラックマトリックスやホワイトマトリックスを各画素の周囲すべてに配置したり、複数の画素毎の周囲に配置したり、透明隔壁の幅を調整することでブラックマトリックスの幅やホワイトマトリックスの幅を調整したりすることによって、ブラックマトリックス効果やホワイトマトリックス効果を容易に調整することができる。さらにまた、表示画面領域に、ブラックマトリックス効果を得たい領域と、ホワイトマトリックス効果を得たい領域とを組み合せ自由に設定することもできる。
【図面の簡単な説明】
【００１６】
【図１】（ａ）、（ｂ）はそれぞれ本発明の対象となる情報表示用パネルの一例の構成を示す図である。
【図２】本発明の対象となる情報表示用パネルの他の例の構成を示す図である。
【図３】（ａ）、（ｂ）はそれぞれ本発明の対象となる情報表示用パネルのさらに他の例の構成を示す図である。
【図４】本発明の情報表示用パネルの一例を説明するための図である。
【図５】本発明の情報表示用パネルにおける背面側から受ける画像の映り込みに起因する視認性の低下の防止を説明するための図である。
【図６】本発明の情報表示用パネルにおける１枚のシートで複数枚のパネルを得るいわゆる多個取りの場合の効果を説明するための図である。
【図７】（ａ）、（ｂ）はそれぞれ本発明の情報表示用パネルにおける観察側から見た有色層の状態の一例を説明するための図である。
【図８】（ａ）、（ｂ）はそれぞれ本発明の情報表示用パネルにおける観察側から見た有色層の状態の他の例を説明するための図である。
【図９】（ａ）、（ｂ）はそれぞれ本発明の情報表示用パネルにおける観察側から見た有色層の状態のさらに他の例を説明するための図である。
【図１０】（ａ）、（ｂ）はそれぞれ本発明の情報表示用パネルにおける観察側から見た有色層の状態のさらに他の例を説明するための図である。
【図１１】本発明の情報表示用パネルの一例における情報表示画面領域を説明するための図である。
【図１２】（ａ）〜（ｅ）はそれぞれ図１１に示す情報表示用パネルにおける有色層の一例を説明するための図である。
【図１３】本発明の情報表示用パネルの他の例における情報表示画面領域を説明するための図である。
【図１４】（ａ）〜（ｄ）はそれぞれ図１３に示す情報表示用パネルにおける有色層の一例を説明するための図である。
【図１５】従来のブラックマトリックスを有する情報表示用パネルの一例の構成を示す図である。
【図１６】従来のブラックマトリックスを有する情報表示用パネルにおける問題点を説明するための図である。
【発明を実施するための形態】
【００１７】
まず、本発明の対象となる情報表示用パネルの一例である帯電粒子電界駆動方式情報表示用パネルの基本的な構成について説明する。前記情報表示用パネルでは、対向する２枚の基板間に封入した帯電性粒子を含んだ粒子群として構成した表示媒体に対向対電極から電界が付与される。付与された電界方向にそって、表示媒体が電界による力やクーロン力などによって引き寄せられ、表示媒体が電界方向の変化によって移動方向が切り換わることにより、画像等の情報表示がなされる。従って、表示媒体が、均一に移動し、かつ、表示情報を書き換える時あるいは表示した情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１８】
本発明の対象となる帯電粒子電界駆動方式の情報表示用パネルの例を、図１（ａ）、（ｂ）、図２（ａ）、（ｂ）および図３（ａ）、（ｂ）に基づき説明する。
【００１９】
図１（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ストライプ電極）と基板２に設けた電極６（ストライプ電極）とが対向直交交差して形成する画素電極対の間に電圧を印加することにより発生する電界に応じて、基板１、２と垂直に移動させる。そして、図１（ａ）に示すように白色表示媒体３Ｗを観察者に視認させて白色の表示を、あるいは、図１（ｂ）に示すように黒色表示媒体３Ｂを観察者に視認させて黒色の表示を、白黒のドットでマトリックス表示している。ここで、９は接着剤である。なお、図１（ａ）、（ｂ）において、手前にある隔壁は省略している。また、ここではセルと画素（ドット）とが１対１に対応し、マトリックス配置されている例を示している。
【００２０】
図２（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ（薄膜トランジスタ）付き画素電極）と基板２に設けた電極６（共通電極）との間に電圧を印加することにより発生する電界に応じて、基板１、２と垂直に移動させる。そして、図２（ａ）に示すように白色表示媒体３Ｗを観察者に視認させて白色の表示を、あるいは、図２（ｂ）に示すように黒色表示媒体３Ｂを観察者に視認させて黒色の表示を、白黒のドットでマトリックス表示している。ここで、９は接着剤である。なお、図２（ａ）、（ｂ）において、手前にある隔壁は省略している。また、ここではセルと画素（ドット）とが１対１に対応し、マトリックス配置されている例を示している。
【００２１】
また、上述した例ではセル空間が気体（例えば空気）で満たされている帯電粒子気体中移動方式の情報表示用パネルの例を説明したが、真空中移動や気体の代わりに、絶縁液体を用いた帯電粒子液体中移動方式（電気泳動方式）の情報表示用パネルとすることもできる。この場合、図３（ａ）、（ｂ）に示すように、帯電性粒子を含んだ粒子群を表示媒体３Ｗ、３Ｂとして透明な絶縁液体７とともにカプセル８内に封止した、セルを形成する隔壁４を設けない構成の帯電粒子液体中移動方式（電気泳動方式）の情報表示用パネルとすることもできる。
【００２２】
図４は本発明の情報表示用パネルの一例を説明するための図である。図４に示す例の対象となる情報表示用パネルは、図１（ａ）、（ｂ）に示す各電極が互いに交差するストライプ電極から構成されるパッシブマトリックス駆動方式の情報表示用パネルである。図４に示す例において、２は観察側パネル基板の情報表示画面領域にあたる透明部分、６は観察側パネル基板２上に形成された酸化インジウム錫（ＩＴＯ）からなる透明なストライプ電極、４はセル２１を形成するとともにパネル基板間ギャップを確保するための透明隔壁、１は背面側パネル基板の情報表示画面領域にあたる透明部分、５は背面側パネル基板１上に形成された透明ストライプ電極、９は背面側パネル基板１と透明隔壁４とを接合するための透明接着剤、３Ｂはセル２１内に封入された帯電性黒色粒子３Ｂａを含んだ粒子群として構成した黒色表示媒体、３Ｗはセル２１内に封入された帯電性白色粒子３Ｗａを含んだ粒子群として構成した白色表示媒体である。
【００２３】
図４に本発明の情報表示用パネルの一例として示す、対向ストライプ電極が交差して形成する電極対を画素とするパッシブマトリックス駆動型情報表示用パネルの特徴は、少なくとも情報表示画面領域にあたる観察側パネル基板部分２および背面側パネル基板部分１を透明にし、少なくとも情報表示画面領域にある隔壁４を透明にし、少なくとも情報表示画面領域にあたる観察側パネル基板部分２および背面側パネル基板部分１に形成するストライプ電極を透明にするとともに、ブラックマトリックスまたはホワイトマトリックスとして機能する有色層３１を背面側パネル基板の少なくとも情報表示画面領域１にあたる部分の外側に形成する点にある。また、図４に示した構成のうち、ストライプ電極６を共通電極６に変更し、ストライプ電極５をＴＦＴ付き画素電極５に変更した構成にすれば、本発明の情報表示用パネルの別の一例であるアクティブマトリックス駆動型情報表示用パネルとなる。このアクティブマトリックス駆動型情報表示用パネルの特徴は、少なくとも情報表示画面領域にあたる観察側パネル基板部分２および背面側パネル基板部分１を透明にし、少なくとも情報表示画面領域にある隔壁４を透明にし、少なくとも情報表示画面領域にあたる観察側パネル基板部分２に形成する共通電極を透明にするとともに、ブラックマトリックスまたはホワイトマトリックスとして機能する有色層３１を背面側パネル基板の少なくとも情報表示画面領域１にあたる部分の外側に形成する点である。
【００２４】
図４を用いて説明した前記本発明の情報表示用パネルによれば、観察側パネル基板２の内側にブラックマトリックスまたはホワイトマトリックスを設けない構成であるため、ブラックマトリックスまたはホワイトマトリックスを形成する際に発生しやすい残渣があったとしてもパネル基板間にその残渣が残ることがない。そのため、残渣に起因する基板間のリークをなくし、黒反射率を上げてしまうことを抑制し、あるいは、白反射率が低下することを抑制して、良好なコントラストが得られるようになる。また、少なくとも情報表示画面領域にあたる観察側パネル基板部分２および背面側パネル基板部分１を透明にし、少なくとも情報表示画面領域にある隔壁４を透明にしてマトリックス配置し、少なくとも情報表示画面領域にあたる観察側パネル基板部分２に形成する電極を透明にし、さらに本例では、背面側パネル基板１と透明な隔壁４とを接合するための接着剤９も透明にしているので、観察側から情報表示用パネルを見ると、観察側パネル基板の隔壁４に対応する部分には背面側パネル基板の情報表示画面領域１にあたる部分の外側に形成した有色層３１がマトリックス状に見えることとなり、従来のブラックマトリックスまたはホワイトマトリックスと同じ効果を得ることができる。
【００２５】
本発明の情報表示用パネルにおいて、有色層３１は、背面側のパネル基板１の外表面全面に形成されていても良いし、背面側パネル基板１の外側の情報表示画面領域にあたる領域に形成されても良いし、あるいは、背面側のパネル基板１の情報表示画面領域にあたる領域にある透明な隔壁４が形成された箇所の裏側のみに形成されていても良い。有色層３１を背面側のパネル基板１の外側に設けるので、印刷法や予め有色層が形成されたシートを貼り合わせる方法で、有色層３１を簡単に設けることができる。有色層３１を背面側のパネル基板１の外表面全面に配置しない構成を採用すれば、有色層３１を形成する材料の使用量を少なくすることができ、材料費を安価にすることができる。また、いずれの場合も、同一の構成の情報表示用パネルに対し形成する有色層の色を変えることで、客先の要望に個別に対応することができるため、最初から客先の要望に応じて情報表示用パネルを形成する場合と比べて、製造単価を安価にすることができる。
【００２６】
また、透明な隔壁４に対応した位置に、自由に位置を決めてブラックマトリックスやホワイトマトリックスを配置できるので、ブラックマトリックスやホワイトマトリックスを各画素の周囲すべてに配置したり、複数の画素毎の周囲に配置したり、ブラックマトリックスの幅やホワイトマトリックスの幅を調整したりすることによって、ブラックマトリックス効果やホワイトマトリックス効果を容易に調整するこができる。このマトリックス状の有色層は背面側パネル基板の外側面にフォトリソグラフィーや印刷法で直接形成することもできるが、パネル基板とは別体であるシートにフォトリソグラフィーや印刷法で形成し、そのシートを背面側パネル基板の外側面に貼り合わせて形成することもできる。
【００２７】
本発明の情報表示用パネルにおいて、有色層３１の色は特に限定されないが、白色又は黒色であることが好ましい。有色層３１を白色とした場合は、従来のホワイトマトリックス層を使用した例と同じ効果が得られ、有色層３１を黒色とした場合は、従来のブラックマトリックス層を使用した例と同じ効果が得られる。いずれの場合もコントラストを向上でき画像視認性を良好にすることができる。他の例えば青色、緑色等を使用することもでき、その場合は、全体の表示を若干青色、緑色とすることができ、黒板のような表示をすることができる。
【００２８】
本発明の情報表示用パネルにおいて、有色層３１を背面側パネル基板１の外側表面に形成する方法は特に限定されないが、有色層３１を塗布または貼付して形成することが好ましく、一例として、スクリーン印刷法を好適に用いることができる。また、本発明の情報表示用パネルでは、有色層３１を背面側パネル基板の外側に形成するので、パネルを組み立てた後、即ち、情報表示用パネル前駆体の背面側パネル基板の外側に後から任意の色の有色層３１を容易に設けることが出来る。さらに、本発明の情報表示用パネルでは、図５に示すように、従来の情報表示用パネルでは表示媒体を構成する粒子の配置密度が低い場合など、背面側に配置された部材色の影響を受けて視認性の低下を引き起こしていた点を、情報表示画面領域にあたる透明な背面側パネル基板部分１の外側表面全域に有色層３１を設けることで、背面側から受ける画像の映り込みの影響を制御したり、抑制したりして、視認性を向上させることができる。さらにまた、本発明の情報表示用パネルでは、有色層３１を背面側のパネル基板１の外側表面に形成するだけの単純な構造のため、図６に示すように１枚のシート４１で１５枚のパネル４４を得るいわゆる多個取りの場合でも、シート４１をスクライブする際のアライメントマーク４２やシート４１のロットナンバー（Ｌｏｔ．Ｎｏ．）の印字４３などに影響を及ぼさずに、パネルにのみ有色層３１を設けることが容易である。
【００２９】
図７（ａ）、（ｂ）および図８（ａ）、（ｂ）はそれぞれ本発明の情報表示用パネルにおける観察側から見た有色層の状態の一例を説明するための図である。図７（ａ）は図１（ａ）、（ｂ）に示す例と同様にストライプ電極５、６を用いたパネルを基本構成とし、図７（ｂ）は図２（ａ）、（ｂ）に示す例と同様にＴＦＴ基板１を用いて共通電極６と画素電極５とをパネルを基本構成とし、いずれの例においても、背面側パネル基板１の透明な情報表示画面領域部分の外側に黒色の有色層３１を形成している。また、図８（ａ）は図３（ａ）、（ｂ）に示す例と同様に透明絶縁液体７とマイクロカプセル８とを用いたパネルを基本構成とし、図８（ｂ）は図１（ａ）、（ｂ）に示す透明なストライプ電極５、６を用いるとともに各画素毎に赤色カラーフィルター１１Ｒ、緑色カラーフィルター１１Ｇ、青色カラーフィルター１１ＢＬを設けて１表示単位を形成したカラー表示可能なパネルを基本構成とし、いずれの例においても、背面側パネル基板１の透明な情報表示画面領域部分の外側に黒色の有色層３１を形成している。図７（ａ）、（ｂ）および図８（ａ）、（ｂ）に示す例において、観察側から情報表示用パネルを見た状態は、隔壁４の位置が黒色に観察され、従来のブラックマトリックスと同等の効果があることがわかる。ここでは接着剤９に透明なものを用いたが、黒色の接着剤を用いてもよい。
【００３０】
図９（ａ）、（ｂ）および図１０（ａ）、（ｂ）はそれぞれ本発明の情報表示用パネルにおける観察側から見た有色層の状態のさらに他の例を説明するための図である。図９（ａ）、図１０（ａ）はそれぞれ観察側から見た有色層の状態を示し、図９（ｂ）、図１０（ｂ）はそれぞれ図９（ａ）、図１０（ａ）の部分断面を示している。
【００３１】
図９（ａ）、（ｂ）は、図７（ａ）に示す例と同様に透明なストライプ電極５、６を用いたパネルを基本構成としているが、透明な隔壁４により形成されたセル２１に対応して、それぞれ２本の透明なストライプ電極５、６を交差して設け、電極交差部分が形成するマトリックス配置された画素４個を２×２の配置で形成している。また、背面側パネル基板１の外側の情報表示画面領域全体に有色層３１を形成している。図１０（ａ）、（ｂ）は、図９（ａ）、（ｂ）に示す例と同様に、透明な隔壁４により形成されたセル２１に対応して、それぞれ２本の透明なストライプ電極５、６を交差して設け、電極交差部分が形成するマトリックス配置された画素４個を２×２の配置で形成するとともに、４個の画素に対応して、観察側パネル基板２の内側に平坦化層１２とともに、赤色カラーフィルター１１Ｒ、緑色カラーフィルター１１Ｇ、青色カラーフィルター１１ＢＬ、無色透明カラーフィルター１１Ｔを形成している。
【００３２】
なお、図１１に一例を示す、隔壁で囲まれた基板間のセル空間に正帯電性黒色粒子群および負帯電性白色粒子群を表示媒体として封入したドットマトリックス型パッシブ駆動パネルの例では、図１２（ａ）に示すように少なくとも情報表示画面領域部分が透明な背面側パネル基板の外側全面に有色層を配置した例の他に、図１２（ｂ）に示すように少なくとも情報表示画面領域部分が透明な背面側パネル基板の背面側ストライプ電極と観察側ストライプ電極とが交差する情報表示画面領域の全面に有色層を配置した例、図１２（ｃ）に示すように少なくとも情報表示画面領域部分が透明な背面側パネル基板の情報表示画面領域内の隔壁対応位置に有色層を格子状に配置した例、図１２（ｄ）に示すように少なくとも情報表示画面領域部分が透明な背面側パネル基板の情報表示画面領域全面に黒色層と白色層とを分離して配置した例（ブラックマトリックス画面とホワイトマトリックス画面とを１画面内で得られる例）、図１２（ｅ）に示すように少なくとも情報表示画面領域部分が透明な背面側パネル基板の情報表示画面領域内の隔壁対応位置に黒色層を格子状に配置した上に白色層を背面側パネル基板全面に配置した例、などを採ることができる。
【００３３】
また、図１３に一例を示す、隔壁で囲まれた基板間のセル空間に正帯電性黒色粒子群および負帯電性白色粒子群を表示媒体として封入したドットマトリックス型アクティブ駆動パネルの例では、図１４（ａ）に示すように少なくとも情報表示画面領域部分が透明な背面側パネル基板の外側全面に有色層を配置した例の他に、図１４（ｂ）に示すように少なくとも情報表示画面領域部分が透明な背面側パネル基板の情報表示画面領域全面に有色層を配置した例、図１４（ｃ）に示すように少なくとも情報表示画面領域部分が透明な背面側パネル基板の情報表示画面領域内の隔壁対応位置に有色層を格子状に配置した例、図１４（ｄ）に示すように少なくとも情報表示画面領域部分が透明な背面側パネル基板の情報表示画面領域全面に黒色層と白色層とを分離して配置した例（ブラックマトリックス画面とホワイトマトリックス画面とを１画面内で得られる例）、などを採ることができる。
【００３４】
以下、本発明の情報表示用パネルを構成する各部材について説明する。
【００３５】
パネル基板とする基板については、いずれも少なくとも情報表示画面領域とする領域が透明で情報表示用パネル外側から表示媒体の色が確認できる基板を、観察側パネル基板および背面側パネル基板とする。透明領域において可視光の透過率が高くかつパネル基板として耐熱性の良い材料が好適である。基板材料を例示すると、ポリエチレンテレフタレート、ポリエチレンナフタレート、ポリエーテルサルフォン、ポリエチレン、ポリカーボネート、ポリイミド、アクリルなどの高分子材料や、ガラス、石英、硬質プラスチックなどが挙げられる。基板の厚みは、２μｍ〜５０００μｍが好ましく、さらに５μｍ〜２０００μｍが好適であり、薄すぎると、強度、基板間の間隔均一性を保ちにくくなり、５０００μｍより厚いと、薄型情報表示用パネルとする場合に不都合がある。
【００３６】
電極形成材料としては、アルミニウム、銀、ニッケル、銅、金等の金属類や酸化インジウム錫（ＩＴＯ）、亜鉛ドープ酸化インジウム（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、情報表示画面領域に設けるストライプ電極や共通電極には、これらのうち透明なものを適宜選択して使用する。情報表示画面領域に設けるＴＦＴ付き画素電極は透明でなくてもよいので、いずれの材料も用いることができる。電極の形成方法としては、上記例示の材料をスパッタリング法、真空蒸着法、ＣＶＤ（化学蒸着）法、塗布法等で薄膜状に形成する方法や、金属箔（例えば、圧延銅箔などがある）をラミネートする方法、導電剤を溶媒や合成樹脂バインダーに混合して塗布したりする方法が用いられる。なお、電極厚みは、導電性が確保でき光透過性に支障がなければ良く、０．０１μｍ〜１０μｍ、好ましくは０．０５μｍ〜１０μｍで設けられる。
【００３７】
隔壁については、情報表示画面領域にあたる領域に配置する基板間ギャップ確保用の隔壁は透明材料を用いて透明に形成する。この隔壁は基板間ギャップ確保用のみならず表示媒体を収納するセルを形成する役割も担っており、高さは所定の基板間ギャップと同じにするが、帯電性粒子を含んだ、平均粒子径が１μｍ〜２０μｍの範囲にある粒子群を表示媒体とする情報表示用パネルでは、１０μｍ〜５００μｍに、好ましくは１０μｍ〜１００μｍに、さらに好ましくは１０μｍ〜５０μｍに調整される。基板間ギャップ確保用の隔壁とは別に、専らセルを形成するために設ける隔壁は、基板間ギャップ確保用の隔壁よりも低くても構わないし透明とする必要もないが、情報表示画面領域において隔壁は非表示部分となるので、このセル形成専用の隔壁はできるだけ幅を細くするのが好ましい。基板間ギャップ確保用の隔壁の幅は１０μｍ〜１００μｍが好ましいのに対して、セル形成専用の隔壁の幅は２μｍ〜５０μｍが好ましい。これらの隔壁の高さや幅は、配置する電極の形状や配置により適宜設計されるが、セル形成専用の隔壁の幅は、基板間ギャップ確保用の隔壁の幅以下とするのが好ましい。情報表示画面領域外の領域にも基板間ギャップ確保用の隔壁を設けるが、この隔壁は透明である必要もないし、セルを形成する必要もない。
【００３８】
また、隔壁を形成するにあたり、対向する両基板の各々にリブを形成した後に接合する両リブ法、片側の基板上にのみリブを形成する片リブ法が考えられる。この発明では、いずれの方法も好適に用いられる。
背面側パネル基板と観察側パネル基板との貼り合わせは、基板間ギャップ確保用の隔壁上面部と相手側パネル基板との間に接着剤を配置するか、双方のパネル基板に形成された基板間ギャップ確保用の隔壁上面部同士を対面させた間に接着剤を配置するかして行う。この接着剤は硬化後に透明となるものを用いるのが好ましいが、場合によっては他の有色にした接着剤を用いることもできる。透明接着剤としては、エポキシ系接着剤、アクリル系接着剤などが挙げられ、１μｍ〜１０μｍ程度の厚さで配置して用いることができる。有色の接着剤とする場合は、前記透明接着材に所望の色の顔料を配合して用いることができる。情報表示画面領域外の領域において行う背面側パネル基板と観察側パネル基板との貼り合わせに用いる接着剤は透明である必要はない。
これらのリブからなる隔壁により形成されるセルは、基板平面方向からみて四角形状、三角形状、円形状、六角形状、階段型八角形状、レーストラック形状などが例示される。このセルに対応する対応した位置にマトリックス配置された画素が入るようにする。観察側から見える隔壁断面部分に相当する部分（セルの枠部の面積）の幅を調整して、ブラックマトリックス効果やホワイトマトリックス効果を調整することができる。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【実施例】
【００３９】
観察側パネル基板（１００ｎｍ厚のＩＴＯ膜を３００μｍ幅、３０μｍスペースでパターニングしたストライプ電極付きで厚さが７００μｍのガラス基板）と、背面側パネル基板（１００ｎｍ厚のＩＴＯ膜を３００μｍ幅、３０μｍスペースでパターニングしたストライプ電極付きで厚さが７００μｍのガラス基板）とを５０μｍ間隔に対向させた基板間空間に、平均粒子径が９．２μｍの負帯電性白色粒子を含んで構成した白色表示媒体と、平均粒子径が９．０μｍの正帯電性黒色粒子を含んで構成した黒色表示媒体とを配置した情報表示用パネルをベースに実施例の情報表示用パネルを作製した。
【００４０】
実施例および比較例の隔壁の形成には、いずれもアルフォＮＩＴ２（ニチゴーモートン社製ドライフィルムレジスト材）を用いたフォトリソグラフィー技術を適用し、幅２０μｍ、高さ５０μｍの透明な隔壁とした。
【００４１】
比較例１の情報表示用パネルでは、観察側パネル基板のＩＴＯストライプ電極の上に黒色顔料が配合されたブラックマトリックス材層を製膜後、さらにその上に隔壁形成用の透明なドライフィルムレジスト、アルフォＮＩＴ２（ニチゴーモートン社製）を積層し、フォトリソグラフィーにより隔壁とパネル基板との間にブラックマトリックスが配置された観察側パネル基板を得た。比較例２の情報表示用パネルでは、観察側パネル基板のＩＴＯストライプ電極の上に白色顔料が配合されたホワイトマトリックス材層を製膜後、さらにその上に隔壁形成用の透明なドライフィルムレジスト、アルフォＮＩＴ２（ニチゴーモートン社製）を積層し、フォトリソグラフィーにより隔壁とパネル基板との間にホワイトマトリックスが配置された観察側パネル基板を得た。
【００４２】
実施例１〜５の情報表示用パネルでは、観察側パネル基板のＩＴＯストライプ電極の上に隔壁形成用の透明なドライフィルムレジスト、アルフォＮＩＴ２（ニチゴーモートン社製）を積層し、フォトリソグラフィーにより閣は基が配置された観察側パネル基板を得た。
【００４３】
＜実施例１＞
背面側となるガラス基板のＩＴＯストライプ電極が形成されていない方の面上の情報表示画面領域にあたる領域に黒色顔料が配合されたブラックマトリックス材層を厚さ２０μｍに製膜して黒色層付きの背面側パネル基板とした後、所定の粒子群が表示媒体として配置された観察側となるガラス基板と貼り合わせて情報表示用パネルを得た。
【００４４】
＜実施例２＞
背面側となるガラス基板のＩＴＯストライプ電極が形成されていない方の面上の情報表示画面領域にあたる領域に黒色顔料を配合されたブラックマトリックス材層を厚さ２０μｍに製膜した後、フォトリソグラフィー技術を用いて隔壁に対応した格子状のブラックマトリックスを形成し、黒色層付きの背面側パネル基板とした。次に、所定の粒子群が表示媒体として配置された観察側となるガラス基板と貼り合わせて情報表示用パネルを得た。
【００４５】
＜実施例３＞
背面側となるガラス基板のＩＴＯストライプ電極が形成されていない方の面上の情報表示画面領域にあたる領域に黒色顔料が配合されたブラックマトリックス材層を厚さ５０μｍに製膜した後、フォトリソグラフィー技術を用いて隔壁に対応した格子状のブラックマトリックスを形成し、さらにその上に重ねて情報表示画面領域にあたる領域に白色顔料が配合されたホワイトマトリックス材層を厚さ２０μｍに製膜して有色層付きの背面側パネル基板とした。次に、所定の粒子群が表示媒体として配置された観察側となるガラス基板と貼り合わせて情報表示用パネルを得た。
【００４６】
＜実施例４＞
背面側となるガラス基板のＩＴＯストライプ電極が形成されていない方の面上の情報表示画面領域にあたる領域に水溶性黒色塗料「水性スーパーコート」（（株）アサヒペン製）をスクリーン印刷法で厚さ２０μｍに形成して黒色層付きの背面側パネル基板とした後、所定の粒子群が表示媒体として配置された観察側となるガラス基板と貼り合わせて情報表示用パネルを得た。
【００４７】
＜実施例５＞
前記した観察側パネル基板（１００ｎｍ厚のＩＴＯ膜を３００μｍ幅、３０μｍスペースでパターニングしたストライプ電極付きで厚さが７００μｍのガラス基板）と、背面側パネル基板（１００ｎｍ厚のＩＴＯ膜を３００μｍ幅、３０μｍスペースでパターニングしたストライプ電極付きで厚さが７００μｍのガラス基板）とを、透明な隔壁によって５０μｍ間隔に対向させた基板間空間に、平均粒子径が９．２μｍの負帯電性白色粒子を含んで構成した白色表示媒体と、平均粒子径が９．０μｍの正帯電性黒色粒子を含んで構成した黒色表示媒体とを配置した情報表示用パネル前駆体を作製後、その情報表示用パネル前駆体の背面側ガラス基板の外側面全面に、水溶性黒色塗料「水性スーパーコート」（（株）アサヒペン製）をスクリーン印刷法で厚さ２０μｍに形成して黒色層付きの情報表示用パネルを得た。
【００４８】
＜実施例６＞
前記した観察側パネル基板（１００ｎｍ厚のＩＴＯ膜を３００μｍ幅、３０μｍスペースでパターニングしたストライプ電極付きで厚さが７００μｍのガラス基板）と、背面側パネル基板（１００ｎｍ厚のＩＴＯ膜を３００μｍ幅、３０μｍスペースでパターニングしたストライプ電極付きで厚さが７００μｍのガラス基板）とを、透明な隔壁によって５０μｍ間隔に対向させた基板間空間に、平均粒子径が９．２μｍの負帯電性白色粒子を含んで構成した白色表示媒体と、平均粒子径が９．０μｍの正帯電性黒色粒子を含んで構成した黒色表示媒体とを配置した情報表示用パネル前駆体を作製後、その情報表示用パネル前駆体の背面側ガラス基板の外側面全面に、水溶性白色塗料「水性スーパーコート」（（株）アサヒペン製）をスクリーン印刷法で厚さ２０μｍに形成して白色層付きの情報表示用パネルを得た。
【００４９】
＜実施例７＞
前記した観察側パネル基板（１００ｎｍ厚のＩＴＯ膜を３００μｍ幅、３０μｍスペースでパターニングしたストライプ電極付きで厚さが７００μｍのガラス基板）と、背面側パネル基板（１００ｎｍ厚のＩＴＯ膜を３００μｍ幅、３０μｍスペースでパターニングしたストライプ電極付きで厚さが７００μｍのガラス基板）とを、透明な隔壁によって５０μｍ間隔に対向させた基板間空間に、平均粒子径が９．２μｍの負帯電性白色粒子を含んで構成した白色表示媒体と、平均粒子径が９．０μｍの正帯電性黒色粒子を含んで構成した黒色表示媒体とを配置した情報表示用パネル前駆体を作製後、その情報表示用パネル前駆体の背面側ガラス基板の外側面全面に、アクリル系粘着剤付きのポリエチレンテレフタレート（ＰＥＴ）製黒色フィルム（厚さ５０μｍ）を貼り合わせて黒色層付きの情報表示用パネルを得た。
【００５０】
＜実施例８＞
前記した観察側パネル基板（１００ｎｍ厚のＩＴＯ膜を３００μｍ幅、３０μｍスペースでパターニングしたストライプ電極付きで厚さが７００μｍのガラス基板）と、背面側パネル基板（１００ｎｍ厚のＩＴＯ膜を３００μｍ幅、３０μｍスペースでパターニングしたストライプ電極付きで厚さが７００μｍのガラス基板）とを、透明な隔壁によって５０μｍ間隔に対向させた基板間空間に、平均粒子径が９．２μｍの負帯電性白色粒子を含んで構成した白色表示媒体と、平均粒子径が９．０μｍの正帯電性黒色粒子を含んで構成した黒色表示媒体とを配置した情報表示用パネル前駆体を作製後、その情報表示用パネル前駆体の背面側ガラス基板の外側面全面に、アクリル系粘着剤付きのポリエチレンテレフタレート（ＰＥＴ）製白色フィルム（厚さ５０μｍ）を貼り合わせて白色層付きの情報表示用パネルを得た。
【００５１】
＜実施例９＞
背面側となるガラス基板のＩＴＯストライプ電極が形成されていない方の面上の情報表示画面領域にあたる領域に白色顔料が配合されたホワイトマトリックス材層を厚さ２０μｍに製膜して白色層付きの背面パネル基板とした後、所定の粒子群が表示媒体として配置された観察側となるガラス基板と貼り合わせて情報表示用パネルを得た。
【００５２】
＜実施例１０＞
背面側となるガラス基板のＩＴＯストライプ電極が形成されていない方の面上の情報表示画面領域にあたる領域に白色顔料が配合されたホワイトマトリックス材層を厚さ２０μｍに製膜した後、フォトリソグラフィー技術を用いて隔壁に対応した格子状のホワイトマトリックスを形成し、白色層付きの背面側パネル基板とした。次に、所定の粒子群が表示媒体として配置された観察側となるガラス基板と貼り合わせて情報表示用パネルを得た。
【００５３】
＜実施例１１＞
まず、ポリエチレンテレフタレート（ＰＥＴ）製白色フィルム（厚さ５０μｍ）の上に黒色レジストを５μｍ厚に製膜し、下記情報表示用パネル前駆体の画素周囲に配置される透明隔壁に対応したマスクを用いたフォトリソグラフィーでブラックマトリックスを形成した。次に、前記した観察側パネル基板（１００ｎｍ厚のＩＴＯ膜を３００μｍ幅、３０μｍスペースでパターニングしたストライプ電極付きで厚さが７００μｍのガラス基板）と、背面側パネル基板（１００ｎｍ厚のＩＴＯ膜を３００μｍ幅、３０μｍスペースでパターニングしたストライプ電極付きで厚さが７００μｍのガラス基板）とを、透明な隔壁によって５０μｍ間隔に対向させた基板間空間に、平均粒子径が９．２μｍの負帯電性白色粒子を含んで構成した白色表示媒体と、平均粒子径が９．０μｍの正帯電性黒色粒子を含んで構成した黒色表示媒体とを配置した情報表示用パネル前駆体を作製し、この情報表示用パネル前駆体の背面側ガラス基板の外側面全面に、前記ブラックマトリックス付きのポリエチレンテレフタレート（ＰＥＴ）製白色フィルムのブラックマトリックス形成面に透明なアクリル系粘着剤を１０μｍ厚で配置して貼り合わせることで、ブラックマトリックスが配置された情報表示用パネルを得た。
【００５４】
＜実施例１２＞
まず、ポリエチレンテレフタレート（ＰＥＴ）製白色フィルム（厚さ５０μｍ）上の下記情報表示用パネル前駆体の画素周囲に配置される透明隔壁に対応した位置に、黒色フレキソインクを用いて高さ５μｍのブラックマトリックスをフレキソ印刷法で形成した。次に、前記した観察側パネル基板（１００ｎｍ厚のＩＴＯ膜を３００μｍ幅、３０μｍスペースでパターニングしたストライプ電極付きで厚さが７００μｍのガラス基板）と、背面側パネル基板（１００ｎｍ厚のＩＴＯ膜を３００μｍ幅、３０μｍスペースでパターニングしたストライプ電極付きで厚さが７００μｍのガラス基板）とを、透明な隔壁によって５０μｍ間隔に対向させた基板間空間に、平均粒子径が９．２μｍの負帯電性白色粒子を含んで構成した白色表示媒体と、平均粒子径が９．０μｍの正帯電性黒色粒子を含んで構成した黒色表示媒体とを配置した情報表示用パネル前駆体を作製し、この情報表示用パネル前駆体の背面側ガラス基板の外側面全面に、前記ブラックマトリックス付きのポリエチレンテレフタレート（ＰＥＴ）製白色フィルムのブラックマトリックス形成面に透明なアクリル系粘着剤を１０μｍ厚で配置して貼り合わせることで、ブラックマトリックスが配置された情報表示用パネルを得た。
【００５５】
＜比較例１＞
観察側パネル基板のＩＴＯストライプ電極の上に黒色顔料が配合されたブラックマトリックス材層を５μｍ厚で製膜後、さらにその上に隔壁形成用の透明なドライフィルムレジスト、アルフォＮＩＴ２（ニチゴーモートン社製）を積層し、フォトリソグラフィーにより隔壁とパネル基板との間にブラックマトリックスが配置された観察側パネル基板を得た。次に、その観察側パネル基板のセル内に所定の粒子群を表示媒体として配置した後、背面側となるガラス基板と貼り合わせて情報表示用パネルを得た。
【００５６】
＜比較例２＞
観察側パネル基板のＩＴＯストライプ電極の上に白色顔料が配合されたブラックマトリックス材層を５μｍ厚で製膜後、さらにその上に隔壁形成用の透明なドライフィルムレジスト、アルフォＮＩＴ２（ニチゴーモートン社製）を積層し、フォトリソグラフィーにより隔壁とパネル基板との間にブラックマトリックスが配置された観察側パネル基板を得た。次に、その観察側パネル基板のセル内に所定の粒子群を表示媒体として配置した後、背面側となるガラス基板と貼り合わせて情報表示用パネルを得た。
【００５７】
比較例１および比較例２の情報表示用パネルを作製する際に、ブラックマトリックスやホワイトマトリックスを得るために実施したフォトリソグラフィーに掛けた時間は、実施例１、２、３、９、１０でブラックマトリックスやホワイトマトリックスを得るために実施したフォトリソグラフィーに掛けた時間と、それぞれのブラックマトリックスやホワイトマトリックスにおいて同じにしたが、安全率を見込んだ生産工程の条件よりは短時間で実施した。この条件ではフォトリソグラフィー後に残渣がでやすいためか、作製した比較例１および比較例２のすべての情報表示用パネルで基板間リークを発生させてしまった。基板間リークは、出来上がった情報表示用パネルにおいて対向パネル基板間に流れる電流値を測定し、正常パネルで測定された電流値を基準値としてその５倍以上の電流値が計測されたが、実施例１〜１２の情報表示用パネルはすべてこの基準値に近い電流値が計測され、リーク発生はなかった。白表示時の反射率は、（株）村上色彩研究所の積分球式全反射率計ＲＭ−５を用いて測定した絶対反射率とした。結果を以下の表１に示す。
【００５８】
【表１】
2011141511.tif 000003
【００５９】
表１の結果から、本発明例の実施例１〜１２の情報表示用パネルでは、比較例１、２の情報表示用パネルでは発生した基板間リークが発生せず、白反射率が向上した明るい表示ができるものとなっていることがわかった。
【００６０】
また、本発明の情報表示用パネル（実施例１〜１２）では、ブラックマトリックス効果を得るためのブラックマトリックスや、ホワイトマトリックス効果を得るためのホワイトマトリックスなどの有色層を、従来の情報表示用パネル（比較例１、２）のようにパネル基板の内側に設けないので、フォトリソグラフィーで形成してもその残渣残りが表示媒体駆動に影響する心配がなく、これまでフォトリソグラフィーで有色層を形成していた場合と比較して短時間で済むばかりか、情報表示用パネル前駆体を作製した後に背面側パネル基板の外側面に形成することもできるので、有色層の配置方法としての選択肢が広がり、用途に合わせた製造方法を用いることができることが分かった。
【産業上の利用可能性】
【００６１】
本発明の情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられるほか、外部書換え手段に接続して表示書換えを行う表示部（リライタブルペーパー）としても好適に用いられる。
【００６２】
表示媒体としては、これまでに説明した帯電性粒子を含んだ粒子群の他に、導電性粒子を含んだ粒子群、半導体性粒子を含んだ粒子群など、電極を介して電気的に駆動できる種々なタイプの表示媒体を用いることができる。本発明の対象となる情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、種々のタイプの駆動方式の情報表示用パネルに適用できる。
【符号の説明】
【００６３】
１、２  基板
３Ｗ  白色表示媒体
３Ｗａ  帯電性白色粒子
３Ｂ  黒色表示媒体
３Ｂａ  帯電性黒色粒子
４  隔壁
５、６  電極
７  絶縁液体
８  カプセル
９  接着剤
１１Ｒ  赤色カラーフィルター
１１Ｇ  緑色カラーフィルター
１１ＢＬ  青色カラーフィルター
１１Ｔ  無色透明カラーフィルター
１２  平坦化層
２１  セル
３１  有色層
４１  シート
４２  アライメントマーク
４３  ロットＮｏ．の印字
４４  各情報表示用パネルに対応する領域
【図１】
2011141511.tif 000004
【図２】
2011141511.tif 000005
【図３】
2011141511.tif 000006
【図４】
2011141511.tif 000007
【図５】
2011141511.tif 000008
【図６】
2011141511.tif 000009
【図７】
2011141511.tif 000010
【図８】
2011141511.tif 000011
【図９】
2011141511.tif 000012
【図１０】
2011141511.tif 000013
【図１１】
2011141511.tif 000014
【図１２】
2011141511.tif 000015
【図１３】
2011141511.tif 000016
【図１４】
2011141511.tif 000017
【図１５】
2011141511.tif 000018
【図１６】
2011141511.tif 000019